(57)【要約】【課題】衛星DMB(Digital Multimedia Broadcasting)システムと地上波DMBシステムとの間の放送サービス情報のリンクサービス方法を提供する。【解決手段】地上波DMBシステムと衛星DMBシステムとの間のサービスリンク情報を生成して提供するサービスリンク情報提供サーバーを用いて、これらシステム間のサービスリンクに関する情報を提供する方法であって、サービスリンク情報提供サーバーは、地上波DMBシステムと衛星DMBシステムとからEPG(Electronic Program Guide)情報を受信し（S71） 、該情報の内容を分析してリンクされるサービスがあるかを判定し（S72）、サービスリンクがあると判定されると、該リンクの程度に従って、当該リンクされるサービスに分類情報を割り当てて、該分類情報をサービスリンク情報として格納し（S73）、DMB受信端末機からのサービスリンク情報の要請を受信すると、該情報を移動通信システムを介して提供する（S74）。【選択図】図７
2007074723.tif 000002
【特許請求の範囲】
【請求項１】
地上波ＤＭＢ(Digital Multimedia Broadcasting)システム、衛星ＤＭＢシステム及び移動通信システムを含む放送システムにおいて、地上波ＤＭＢシステムと衛星ＤＭＢシステムとの間のサービスリンク情報を生成して提供するサービスリンク情報提供サーバーを用いて、地上波ＤＭＢシステムと衛星ＤＭＢシステムとの間のサービスリンクに関する情報を提供する方法であって、
サービスリンク情報提供サーバーが、
(ａ)前記地上波ＤＭＢシステムと前記衛星ＤＭＢシステムとからＥＰＧ(Electronic Program Guide)情報を受信するステップと、
(ｂ)前記ＥＰＧ情報の内容を分析し、リンクされるサービスがあるか否かを判定するステップと、
(ｃ)前記サービスリンクがあると判定された場合に、該リンクの程度に従って、当該リンクされるサービスに分類情報を割り当てるステップと、
(ｄ)前記分類情報をサービスリンク情報として格納するステップと、
(ｅ)ＤＭＢ受信端末機からの前記サービスリンク情報についての要請を受信した場合に、前記サービスリンク情報を前記移動通信システムを介して提供するステップと、
を含むことを特徴とする地上波ＤＭＢシステムと衛星ＤＭＢシステムとの間のサービスリンク情報提供方法。
【請求項２】
前記(ｂ)ステップにおけるＥＰＧ情報の内容は、
放送時間を示すための時間フィールドと、
提供される放送の名称を示すための番組名フィールドと、
放送の形態を示すための番組タイプフィールドと、
当該番組の固有の識別子を提供するためのユニークコード（unique code）フィールドと、
を含むことを特徴とする請求項１に記載の地上波ＤＭＢシステムと衛星ＤＭＢシステムとの間のサービスリンク情報提供方法。
【請求項３】
前記(ｅ)ステップで提供されるサービスリンク情報は、
放送番組間のリンクされる形式を特定するためのリンクタイプフィールドと、
前記リンクタイプフィールドで特定されたリンクタイプに関する情報を記述するためのリンク記述フィールドと、
リンクされる番組らのそれぞれの固有のコード値を示すための、複数のコードフィールドと、
を含むことを特徴とする請求項１に記載の地上波ＤＭＢシステムと衛星ＤＭＢシステムとの間のサービスリンク情報提供方法。
【請求項４】
地上波ＤＭＢシステムと衛星ＤＭＢシステムとからサービスが提供されるＤＭＢ(Digital Multimedia Broadcasting)受信端末機におけるサービスリンク情報を用いたサービス変更方法であって、
前記ＤＭＢ受信端末機が、
(ａ)衛星ＤＭＢ信号と地上波ＤＭＢ信号とを受信するステップと、
(ｂ)前記衛星ＤＭＢ信号及び前記地上波ＤＭＢ信号の何れか一つのＤＭＢシステムに従う第１の放送番組を出力するステップと、
(ｃ)前記第１の放送番組についての受信感度を測定するステップと、
(ｄ)前記第１の放送番組についての受信感度と、予め設定された受信感度のしきい値とを比較するステップと、
(ｅ)前記第１の放送番組についての受信感度が予め設定された受信感度のしきい値よりも小さい場合に、前記第１の放送番組が属していないＤＭＢシステムにおいて、前記第１の放送番組とリンクされる第２の放送番組があるかに関するサービスリンク情報を要請するステップと、
(ｆ)当該要請したサービスリンク情報を受信するステップと、
(ｇ)該受信したサービスリンク情報が、前記第２の放送番組があることを示している場合に、前記第２の放送番組についての受信感度を測定するステップと、
(ｈ)前記所定の放送番組についての受信感度と第２の放送番組についての受信感度とを比較するステップと、
(ｉ)該比較の結果、受信感度が高い方の放送番組を再生するステップと、
を含むことを特徴とするサービスリンク情報を用いたサービス変更方法。
【請求項５】
前記受信されたサービスリンク情報は、
放送番組間のリンクされる形式を特定するためのリンクタイプフィールドと、
前記リンクタイプフィールドで特定されたリンクタイプに関する情報を記述するためのリンク記述フィールドと、
リンクされる番組らのそれぞれの固有のコード値を示すための、複数のコードフィールドと、
を含むことを特徴とする請求項４に記載のサービスリンク情報を用いたサービス変更方法。
【発明の詳細な説明】
【技術分野】
【０００１】
本発明は、ＤＭＢ(Digital Multimedia Broadcasting)放送サービスに関し、特に、衛星ＤＭＢシステムと地上波ＤＭＢシステムとの間の放送サービス情報のリンクサービスに関する情報を提供するための方法に関する。
【背景技術】
【０００２】
デジタルマルチメディア放送（ＤＭＢ；Digital Multimedia Broadcasting）は、音声及び映像などの多様なマルチメディア信号を、デジタル方式により携帯用又は車両用の受信機に提供する放送サービスである。このようなＤＭＢは、その転送手段によって、衛星ＤＭＢと地上波ＤＭＢとに分けられるが、衛星ＤＭＢは衛星電波を介して番組を全国のＤＭＢ端末機に提供するものであり、地上波ＤＭＢは空中波ＶＨＦ１２番と８番のチャンネルを用いて放送を提供するものである。
【０００３】
現在は、衛星ＤＭＢ又は地上波ＤＭＢの各々に対するサービスだけを受けることができるが、今後は、このような衛星ＤＭＢと地上波ＤＭＢとが一つの端末機を介して提供されるものと見込まれる。また、このようなＤＭＢ受信端末機は、移動通信端末機の機能も遂行する。
【０００４】
図１は、複数のシステムからのサービスを受信するためのＤＭＢ受信末端末機の一例を示す図である。
【０００５】
図１に示すように、ＤＭＢ受信端末機１００は、地上波ＤＭＢシステム１２、衛星ＤＭＢシステム１３及びＷｉｂｒｏのような無線データ通信を支援する移動通信システム１１に各々接続されて、それぞれのサービスを提供される。
【０００６】
図１に示すように、地上波ＤＭＢシステム１２及び衛星ＤＭＢシステム１３から各々ＤＭＢ放送サービスが提供される場合には、それぞれの放送システムから放送される番組に関する情報であるＥＰＧ(Electronic Program Guide)が供給されることになる。
【０００７】
このようなＥＰＧは、それぞれの放送サービスによって別個（独立的）に提供される。
【０００８】
したがって、これら全ての放送サービスを受信できるＤＭＢ受信端末機１００の立場では、このような地上波ＤＭＢシステム１２のＥＰＧと、衛星ＤＭＢシステム１３のＥＰＧとを統合して、番組間の類似性に基づいた、統一したサービスの提供を受けられるようにすることが要求される。
【０００９】
特に、ＤＭＢ放送サービスは、移動性が重要であるため、それぞれの放送システム間でのサービスの質に影響が生じる場合がしばしば発生する。すなわち、所定の場所へ移動する際に、現在サービス提供中であった地上波ＤＭＢシステム１２からの信号が弱くなって正常なサービスが不可能になっても、衛星ＤＭＢシステム１３からの信号は正常にサービスを提供できる場合や、或いはその反対の場合が発生し得る。
【００１０】
このとき、ユーザが現在視聴中の放送番組を継続視聴したい場合には、たとえ該ユーザが移動中であったとしても、それを中断されることなしに視聴することを欲するであろう。このことは、当該番組が衛星ＤＭＢシステム１３でも支援されている場合には、地上波ＤＭＢシステム１２から衛星ＤＭＢシステム１３にサービスを転換し、該番組に直ちに接続できるようにする方法（或いはこの反対の場合の方法）についての研究が必要になることを意味している。
【００１１】
現在は、それぞれのＤＭＢ放送システム１２、１３はＤＭＢ放送のために独自のＥＰＧを提供し、ＤＭＢ受信端末機１００では、このようなＥＰＧを介して該放送システム１２、１３の番組ガイド情報が分かる。しかしながら、ＥＰＧは、それぞれの放送システム１２、１３別に存在するため、互いに異なる放送システム１２、１３の番組間の相関性がわからない。
【００１２】
前述したように、ＤＭＢ受信端末機１００が地上波ＤＭＢシステム１２から現在視聴中の番組を何らかの理由により視聴できなくなった場合において、衛星ＤＭＢシステム１３から該番組の提供を受けたいと希望した場合には、当該番組が衛星ＤＭＢシステム１３から提供されるか否かと、そのチャンネル情報などを別に検索しなければならない。
【００１３】
したがって、地上波ＤＭＢシステム１２及び衛星ＤＭＢシステム１３から同時にサービスを提供される場合には、このような地上波ＤＭＢシステム１２と衛星ＤＭＢシステム１３との間の番組の効率的な相関関係（リンク）を提供し、これにより、両方のシステムからの該当のサービスを識別でき、かつ両方のシステムからサービスを受けられるように各サービスを切り替え（スイッチング）を遂行できる方法が必要となる。
【特許文献１】韓国特許出願公開第２００６−００４００６０号明細書（発明の名称：統合プログラム案内情報提供装置及び方法）
【発明の開示】
【発明が解決しようとする課題】
【００１４】
本発明は、前記のような必要性により提案されたもので、その目的は、衛星ＤＭＢ放送と地上波ＤＭＢ放送との双方を受信できるＤＭＢ受信端末機において、それぞれのＤＭＢシステムから提供されるＥＰＧとは別に、移動通信網を介してそれぞれのＤＭＢ放送間のサービスリンク(Service Linking)情報が提供されるようにすることで、多くの放送会社の多様な番組間の検索効率を高め、放送番組間の相関性をユーザーに提供できる、地上波ＤＭＢシステムと衛星ＤＭＢシステムとの間のサービスリンク情報提供方法及びＤＭＢ端末機におけるサービスリンク情報を用いたサービス変更方法を提供することにある。
【課題を解決するための手段】
【００１５】
前記目的を達成するために、本発明は、地上波ＤＭＢ(Digital Multimedia Broadcasting)システム、衛星ＤＭＢシステム及び移動通信システムを含む放送システムにおいて、地上波ＤＭＢシステムと衛星ＤＭＢシステムとの間のサービスリンク情報を生成して提供するサービスリンク情報提供サーバーを用いて、地上波ＤＭＢシステムと衛星ＤＭＢシステムとの間のサービスリンクに関する情報を提供する方法であって、サービスリンク情報提供サーバーは、(ａ)前記地上波ＤＭＢシステムと前記衛星ＤＭＢシステムとからＥＰＧ情報を受信するステップと、(ｂ)前記ＥＰＧ情報の内容を分析し、リンクされるサービスがあるか否かを判定するステップと、(ｃ)前記サービスリンクがあると判定された場合に、該リンクの程度に従って、当該リンクされるサービスに分類情報を割り当てるステップと、(ｄ)前記分類情報をサービスリンク情報として格納するステップと、(ｅ)ＤＭＢ受信端末機からの前記サービスリンク情報についての要請を受信した場合に、前記サービスリンク情報を前記移動通信システムを介して提供するステップと、を遂行する。
【００１６】
また、本発明は、地上波ＤＭＢシステムと衛星ＤＭＢシステムとからサービスが提供されるＤＭＢ(Digital Multimedia Broadcasting)受信端末機におけるサービスリンク情報を用いたサービス変更方法であって、前記ＤＭＢ受信端末機は、(ａ)衛星ＤＭＢ信号と地上波ＤＭＢ信号とを受信するステップと、(ｂ)前記衛星ＤＭＢ信号及び前記地上波ＤＭＢ信号の何れか一つのＤＭＢシステムに従う第１の放送番組を出力するステップと、(ｃ)前記第１の放送番組についての受信感度を測定するステップと、(ｄ)前記第１の放送番組についての受信感度と、予め設定された受信感度のしきい値とを比較するステップと、(ｅ)前記第１の放送番組についての受信感度が予め設定された受信感度のしきい値よりも小さい場合に、前記第１の放送番組が属していないＤＭＢシステムにおいて、前記第１の放送番組とリンクされる第２の放送番組があるかに関するサービスリンク情報を要請するステップと、(ｆ)当該要請したサービスリンク情報を受信するステップと、(ｇ)該受信したサービスリンク情報が、前記第２の放送番組があることを示している場合に、前記第２の放送番組についての受信感度を測定するステップと、(ｈ)前記所定の放送番組についての受信感度と第２の放送番組についての受信感度とを比較するステップと、(ｉ)該比較の結果、受信感度が高い方の放送番組を再生するステップと、を遂行する。
【発明の効果】
【００１７】
本発明によれば、地上波ＤＭＢシステムと衛星ＤＭＢシステムとから同時に放送を受信できるＤＭＢ受信端末機において、サービスリンク情報を使用することにより、ユーザの移動の際にもスムーズに所望の放送番組の視聴を支援することが可能となる。
【発明を実施するための最良の形態】
【００１８】
以下、本発明の好適な実施形態について添付図面を参照しながら詳細に説明する。なお、下記の説明において、本発明の要旨のみを明瞭にするために、公知の機能や構成についての具体的な説明は適宜省略する。
【００１９】
図２は、本発明の実施形態による衛星ＤＭＢと地上波ＤＭＢとを同時に受信できるデュアルモードＤＭＢ端末機の構成を示す図である。
【００２０】
図２を参照すると、本発明の実施形態によるデュアルモードＤＭＢ端末機は、衛星ＤＭＢにおいて、ユーザーが所望する所定周波数のチャンネルを選択して該周波数のＤＭＢ放送信号を受信するための衛星ＤＭＢチューナー２０１と、衛星ＤＭＢチューナー２０１によって受信されたＤＭＢ放送信号を復調し、これにより生成された第１のＭＰＥＧ２−ＴＳをＤＭＢ分類部２０５に出力するための衛星ＤＭＢ復調器２０２と、地上波ＤＭＢにおいて、ユーザーが所望する所定周波数にアンサンブルを選択して該周波数のＤＭＢ放送信号を受信するための地上波ＤＭＢチューナー２０３と、地上波ＤＭＢチューナー２０３によって受信されたＤＭＢ放送信号を復調し、これにより生成された第２のＭＰＥＧ２−ＴＳをＤＭＢ分類部２０５に出力するための地上波ＤＭＢ復調器２０４と、衛星ＤＭＢ復調器２０２及び地上波ＤＭＢ復調器２０４から第１及び第２のＭＰＥＧ２−ＴＳをそれぞれ入力し、入力された第１及び第２のＭＰＥＧ２−ＴＳを、ユーザーの選択に基づいてスイッチングし、放送情報表示部及びＭＰＥＧ２−ＴＳ出力部２０８の少なくとも一つに出力するためのＤＭＢ分類部２０５と、ＤＭＢ分類部２０５によって分類された第１又は第２のＭＰＥＧ２−ＴＳを受信して格納するための格納部２０６と、ＤＭＢ分類部２０５から第１又は第２のＭＰＥＧ２−ＴＳを入力してｄｅｍｕｘするためのＭＰＥＧ２ ＤＥＭＵＸ(２０７)と、ＭＰＥＧ２ ＤＥＭＵＸ(２０７)によってｄｅｍｕｘされた第１又は第２のＭＰＥＧ２−ＴＳデータをデコーディングするためのＭＰＥＧ２−ＴＳ出力部２０８と、ユーザーの選択情報をＤＭＢ分類部２０５に伝達してスイッチング動作を遂行するようにＤＭＢ分類部２０５を制御し、そのスイッチング動作に基づいて、ＭＰＥＧ２−ＴＳ出力部２０８にそのデコーディング方式に関する情報を伝達するための制御部２０９と、を備えている。
【００２１】
このデュアルモードＤＭＢ端末機では、衛星ＤＭＢチューナー２０１及び地上波ＤＭＢチューナー２０３によって衛星ＤＭＢシステム１３及び地上波ＤＭＢシステム１２からそれぞれのＤＭＢ放送信号を受信し、該受信されたそれぞれのＤＭＢ放送信号を衛星ＤＭＢ復調器２０２及び地上波ＤＭＢ復調器２０４で復調して第１のＭＰＥＧ２−ＴＳ及び第２のＭＰＥＧ２−ＴＳとして出力し、該出力された第１のＭＰＥＧ２−ＴＳと第２のＭＰＥＧ２−ＴＳとをＤＭＢ分類部２０５によって分類する。ＤＭＢ分類部２０５で分類された第１のＭＰＥＧ２−ＴＳと第２のＭＰＥＧ２−ＴＳは、放送情報表示部によって表示され、またこれらに関するデータが格納部２０６に格納される。
【００２２】
前述したように、本発明の実施形態による地上波ＤＭＢと衛星ＤＭＢとを各々受信できるＤＭＢ受信端末機は、地上波ＤＭＢ用チューナーと衛星ＤＭＢ用チューナーとを各々備え、受信された放送サービスの種類によってデコーダの種類を選択的に運用することで、放送サービスをユーザーに提供することが可能である。
【００２３】
なお、図２には示していないが、図１及び後述の図６から明かなように、このデュアルモードＤＭＢ端末機では、移動通信システム１１と通信を行うための図示しない無線通信部を備えている。本実施形態では、かかる無線通信部を介して詳細を後述するリンク情報を受信し、該受信されたリンク情報が制御部２０９に供給されるようになっている。
【００２４】
図３Ａ及び図３Ｂは、本発明の実施形態による衛星ＤＭＢシステムのＥＰＧ情報と地上波ＤＭＢのＥＰＧ情報の一例を示す図である。
【００２５】
ここで、図３Ａは本実施形態における地上波ＤＭＢのＥＰＧ情報を例示し、図３Ｂは本実施形態における衛星ＤＭＢのＥＰＧ情報を例示する。
【００２６】
図３Ａ及び図３Ｂに例示されたそれぞれの情報によれば、“１１:００〜１４:００”の時間帯では、どちらも“パクチャンホの先発登板”（３０１，３０２）の放送番組が提供されることが分かる。このように、同じ放送が互いに異なる放送システムで提供される場合に、該番組に対するサービスを持続的に提供される（すなわち中断なく視聴する）ためには、放送システム間のスイッチング動作が必要である。また、このようなスイッチング動作は、番組間の連係（リンク）情報の提供によるべきである。
【００２７】
図６は、本発明の実施形態によるＤＭＢ放送サービス間のリンク情報を提供するためのリンク情報提供システムの構成図である。
【００２８】
図６を参照すると、本発明の実施形態によるＤＭＢ放送サービス間のリンク情報を提供するためのリンク情報提供システムは、無線通信を提供する移動通信システム１１と、地上波ＤＭＢ放送を提供する地上波ＤＭＢシステム１２と、衛星ＤＭＢ放送を提供する衛星ＤＭＢシステム１３と、地上波ＤＭＢシステム１２と衛星ＤＭＢシステム１３とから各々ＥＰＧ情報を受信し、これを分析してそれぞれの番組別リンク情報を生成し、これを移動通信システム１１を介してＤＭＢ受信端末機１００に提供するためのサービスリンク情報提供サーバー６００と、を含む。
【００２９】
ここで、ＤＭＢ受信端末機１００は、地上波ＤＭＢシステム１２と、衛星ＤＭＢシステム１３と、Ｗｉｂｒｏのような無線データ通信を支援する移動通信システム１１とに各々接続されて、それぞれのサービスを提供される。
【００３０】
図４は、本発明によるサービスリンク情報を生成するためにそれぞれの放送システムから伝達されるＥＰＧ情報の構造を示す図である。
【００３１】
図４に示すように、本発明によるサービスリンク情報を生成するために、それぞれの放送システムから伝達されるＥＰＧ情報は、放送時間を示すための時間フィールド４１と、提供される放送の名称を示すための番組名フィールド４２と、放送の形態を示すための番組タイプフィールド４３と、該当の各番組の個別（固有）の識別子を提供するためのユニークコード（unique code）フィールド４４と、を含む。
【００３２】
すなわち、衛星ＤＭＢシステムと地上波ＤＭＢシステムとでは、そのＥＰＧ情報の体系が異なる。しかしながら、図４に示すような情報は、あらゆる種類のＥＰＧ情報において必須（すなわち本質的な）事項なので、それぞれのＥＰＧ情報内に含まれる。したがって、サービスリンク情報提供サーバー６００がサービスリンク情報を構成するためには、伝達されるそれぞれのＥＰＧ情報から図４のような（本質的な）フィールドの情報だけを抽出して、かかる抽出された情報を用いてサービス間のリンク情報を生成する。
【００３３】
図５は、本発明の実施形態によるＤＭＢ受信端末機に提供されるサービスリンク情報の構造を示す図である。
【００３４】
図５を参照すると、本発明の実施形態によるＤＭＢ受信端末機に提供されるサービスリンク情報は、放送番組間でのリンクされる形式（リンクタイプ）を特定するためのリンクタイプフィールド５１と、特定されたリンクタイプに関する情報を記述するためのリンク記述フィールド５２と、リンクされる番組らの（それぞれの）固有のコード値を示すための、コードＡ及びコードＢフィールド５３−１，５３−２と、を含む。
【００３５】
リンクタイプフィールド５１及びリンク記述フィールド５２についての一例を、表１に示す。
【表１】
2007074723.tif 000003
【００３６】
図７は、本発明の実施形態による地上波ＤＭＢシステムと衛星ＤＭＢシステムとの間のサービスリンク情報提供方法に関する動作フローチャートである。
【００３７】
図７を参照すると、サービスリンク情報提供サーバー６００は、地上波ＤＭＢシステムと衛星ＤＭＢシステムとからそれぞれのＥＰＧ情報を受信する(ステップＳ７１)。
【００３８】
続いて、サービスリンク情報提供サーバー６００は、受信されたそれぞれのＥＰＧ情報から放送時間、番組名、ジャンル、及び唯一の（ユニークな）コードを分析して、リンクサービスがあるか否かを判定する(ステップＳ７２)。
【００３９】
そして、サービスリンクがあると判定された場合には、サービスリンク情報提供サーバー６００は、そのリンクの程度に従って分類結果（分類情報）を割り当てて、その分類情報をサービスリンク情報として該サーバー内の所定の記録媒体に格納する(ステップＳ７３)。
【００４０】
続いて、サービスリンク情報提供サーバー６００は、ＤＭＢ受信端末機１００からサービスリンク情報についての要請を受信すれば、格納されたサービスリンク情報を移動通信システム１１を介して提供する(ステップＳ７４)。
【００４１】
図８は、本発明によるＤＭＢ端末機におけるサービスリンク情報を用いたサービス変更方法に関する動作フローチャートである。
【００４２】
図８を参照すると、まず、ＤＭＢ受信端末機１００において、衛星ＤＭＢシステム１３のＭＰＥＧ２−ＴＳと地上波ＤＭＢシステム１２のＭＰＥＧ２−ＴＳについての受信感度のしきい値を設定する(ステップＳ８０１)。このようなしきい値は、ユーザーの選択により設定されるか、或いは端末機製作会社により予め設定される。
【００４３】
続いて、ステップＳ８０２で、衛星ＤＭＢチューナー２０１及び地上波ＤＭＢチューナー２０３を通じて受信されたそれぞれのＤＭＢ放送信号が、各復調器２０２及び２０４で復調され第１のＭＰＥＧ２−ＴＳ及び第２のＭＰＥＧ２−ＴＳとして出力されると、ＤＭＢ分類部２０５は、該出力された第１のＭＰＥＧ２−ＴＳと第２のＭＰＥＧ２−ＴＳとを分類する。このとき、放送情報表示部は、ＤＭＢ分類部２０５で分類された第１のＭＰＥＧ２−ＴＳと第２のＭＰＥＧ２−ＴＳとを表示し、格納部２０６は、ＤＭＢ分類部２０５で分類されたデータや分類され表示する各データを格納する。そして、制御部２０９は、ユーザーにより指定された所定のＤＭＢシステムの番組を再生するように各部を制御する(ステップＳ８０３)。
【００４４】
続いて、制御部２０９は、現在再生中である所定のＤＭＢシステムの番組についての受信感度を測定し(ステップＳ８０４)、かかる受信感度がＤＭＢ端末機に設定された上述のしきい値よりも小さいかどうかについて、両者を比較することによって判定する（ステップＳ８０５）。
【００４５】
このとき、現在再生中である所定のＤＭＢシステムの番組についての受信感度がＤＭＢ端末機に設定されたしきい値よりも小さい場合(ステップＳ８０５でＹＥＳ)には、制御部２０９は、現在再生中である番組が属していないＤＭＢシステムにおいて、現在再生中である番組と同一の番組に関するリンク情報を要請する(ステップＳ８０７)。このようなリンク情報の要請は、ＤＭＢ端末機の上述した無線通信部を用いて、移動通信システム１１を介してサービスリンク情報提供サーバー６００に伝達されることにより行われる。なお、ステップＳ８０５の判定でＮＯの場合には、番組を切り替える必要がないので、制御部２０９は、現在再生中の番組をそのまま継続して再生する(ステップＳ８０６)。
【００４６】
そして、上記ステップＳ８０７の後に、制御部２０９は、リンク情報要請によって受信されたリンク情報から、現在再生中である番組と同一の番組についてのリンク情報があるか否かを判定し(ステップＳ８０８）、あると判定した場合には、リンク情報に従う番組の受信感度（すなわち第２の受信感度）を測定する(ステップＳ８１０)。一方、ステップＳ８０８の判定でＮＯすなわち該当するリンク情報が無い場合には、制御部２０９は、番組（すなわち受信対象）を切り替える実益がないものとみなして、現在再生中の番組をそのまま継続して再生する(ステップＳ８０９)。
【００４７】
ステップＳ８０８の判定でＹＥＳすなわち現在再生中の番組と同一の番組を示すリンク情報が存在する場合には、制御部２０９は、上記のように測定されたリンク情報に従う番組の第２の受信感度と、現在再生中であるＤＭＢシステムの番組の受信感度（すなわち第１の受信感度）とを比較する(ステップＳ８１１)。
【００４８】
そして、第１の受信感度と第２の受信感度とを比較した結果、第１の受信感度の方が小さい場合(ステップＳ８１１でＹＥＳ)には、制御部２０９は、リンク情報に従う番組、すなわち、現在再生中である番組が属していないＤＭＢシステムにおいて現在再生中である、（現在再生中のものと）同一の番組を再生する（すなわち再生対象を切り替える）ように、ＤＭＢ受信端末機の各部を制御する(ステップＳ８１３)。一方、ステップＳ８１１でＮＯすなわち第１の受信感度と第２の受信感度が同じ若しくは第２の受信感度の方が小さい場合には、制御部２０９は、番組（すなわち再生対象）を切り替える実益がないものとみなして、現在再生中である番組をそのまま継続して再生する(ステップＳ８１２)。
【００４９】
前述したように、リンク情報を用いたＤＭＢ受信端末機の制御方法では、移動中のユーザーが所定のＤＭＢシステムの番組を視聴するとき、衛星ＤＭＢシステムと地上波ＤＭＢシステムとにおいて同一時間帯（時刻）に当該番組を放送する場合に、制御部２０９は、現在再生中であるＤＭＢシステムの番組の受信感度を測定して、測定した受信感度がＤＭＢ受信端末機に予め設定されたしきい値よりも小さければ、現在再生していないＤＭＢシステムにおける、現在再生中の番組と同一の番組に関するリンク情報を検索し、該リンク情報に基づいた番組の受信感度を測定し、その結果に従って放送システムを維持又は変更することで、ユーザーに現在視聴中である番組について、中断なしにサービスを充足させることができる。
【００５０】
以下、図３に示したサービスリンク情報の具体例に基づいて、図８のフローチャートによるＤＭＢ端末機の動作を説明する。ユーザーが衛星ＤＭＢと地上波ＤＭＢとを同時に受信できるＤＭＢ端末機を用いて移動している際中に、衛星ＤＭＢシステムで提供する“パクチャンホの先発登板”（３０２）を視聴している場合に、制御部２０９は、現在再生中である衛星ＤＭＢシステムの番組の受信感度（第１の受信感度）を測定する(ステップＳ８０４)。
【００５１】
このとき、受信感度を測定した衛星ＤＭＢシステムの番組についての受信感度がＤＭＢ端末機に設定された受信感度のしきい値よりも小さいと判定された場合(ステップＳ８０５でＹＥＳ)には、制御部２０９は、移動通信システム１１を介してサービスリンク情報提供サーバー６００にサービスリンク情報を要請する(ステップＳ８０７)。そして、サービスリンク情報提供サーバー６００からのサービスリンク情報（図７ステップＳ７４等参照）を受信すると、制御部２０９は、現在再生中の番組である衛星ＤＭＢの“パクチャンホの先発登板”（３０２）に関するサービスリンク情報の有無（ここでは、地上波ＤＭＢシステム１２で同時放送されている同一の番組の有無）を判定し（ステップＳ８０８）、無い場合(ステップＳ８０８でＮＯ)には、制御部２０９は、現在再生中である衛星ＤＭＢの“パクチャンホの先発登板”（３０２）をそのまま継続して再生する(ステップＳ８０９)。また、ステップＳ８０５の判定でＮＯすなわち衛星ＤＭＢシステムの番組に対する受信感度がＤＭＢ端末機に設定された受信感度のしきい値よりも大きい或いは同じ場合には、制御部２０９は、現在再生している衛星ＤＭＢの”パクチャンホの先発登板”の番組をそのまま継続して再生する(ステップＳ８０６)。
【００５２】
一方、上記のステップＳ８０７〜Ｓ８０８の処理で、地上波ＤＭＢシステム１２において同一の番組（３０１）があると判定した場合(ステップＳ８０８でＹＥＳ)には、制御部２０９は、地上波ＤＭＢシステム１２からの番組の受信感度を測定し、衛星ＤＭＢシステムの（第１の）受信感度と比較して、受信感度が高い放送システムから放送を受信して再生するように、自機（ＤＭＢ端末機）の各部を制御する(ステップＳ８１０〜ステップＳ８１３)。
【００５３】
本発明に従った上述のような方法は、ハードウェア的に実現され、或いは、ソフトウェア的に、すなわちコンピュータで実行可能なプログラムによって実現されることができる。かかるプログラムは、コンピュータで読み取り可能な形態で、各種の記録媒体（例えばＣＤ−ＲＯＭ等の各種ＲＯＭ，或いは各種ＲＡＭ，可撓性を有する所謂フレキシブルディスク，ハードディスク，光磁器ディスク等）に格納されることができる。
【００５４】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００５５】
【図１】複数のシステムからのサービスを受信するための従来のＤＭＢ受信末端末機の一例を示す図である。
【図２】本発明の実施形態に従った、衛星ＤＭＢと地上波ＤＭＢの双方のサービスを受信できるデュアルモードＤＭＢ端末機の構成（アーキテクチャ）を示す図である。
【図３Ａ】本発明の実施形態による衛星ＤＭＢシステムのＥＰＧ情報を例示した図である。
【図３Ｂ】本発明の実施形態による地上波ＤＭＢのＥＰＧ情報を例示した図である。
【図４】本発明によるサービスリンク情報を生成するためにそれぞれの放送システムから伝達されるＥＰＧ情報の構造を説明するための図である。
【図５】本発明の実施形態によるＤＭＢ受信端末機に提供されるサービスリンク情報の構造を示す図である。
【図６】本発明の実施形態によるＤＭＢ放送サービス間のリンク情報を提供するためのリンク情報提供システムの構成を示す図である。
【図７】本発明の実施形態による地上波ＤＭＢシステムと衛星ＤＭＢシステムとの間のサービスリンク方法において、サービスリンク情報提供サーバーがサービスリンク情報を提供する過程についての動作フローチャートである。
【図８】本発明の実施形態によるＤＭＢ受信端末機において、衛星ＤＭＢと地上波ＤＭＢとのサービスリンク情報に基づいて最適なサービスを提供するための制御方法に関する動作フローチャートである。
【符号の説明】
【００５６】
１１  移動通信システム
１２  地上波ＤＭＢシステム
１３  衛星ＤＭＢシステム
１００  ＤＭＢ受信端末機
６００  サービスリンク情報提供サーバー
【図１】
2007074723.tif 000004
【図２】
2007074723.tif 000005
【図３Ａ】
2007074723.tif 000006
【図３Ｂ】
2007074723.tif 000007
【図４】
2007074723.tif 000008
【図５】
2007074723.tif 000009
【図６】
2007074723.tif 000010
【図７】
2007074723.tif 000011
【図８】
2007074723.tif 000012